(57)【特許請求の範囲】
【請求項１】
運搬および／または保管中に、容器の中で液体上の泡の形成を軽減する方法であって、
少なくとも１つの安定化器ディスクを、前記容器内で前記液体の中へ置くことを含み、前記少なくとも１つの安定化器ディスクは、
幅が高さより広い、前記幅および前記高さと、
表面粗さであって、前記表面粗さの平均粗さ中心線「Ｒａ」は０．７６μｍ〜１．１μｍであり、二乗平均平方根「Ｒｑ」は１．２μｍ〜１．７μｍであり、最大ピーク高さ「Ｒｐ」は３．７μｍ〜５．６μｍであり、最大谷深さ「Ｒｖ」は４．８μｍ〜６．５μｍであり、谷高さに対する最大ピーク「Ｒｔ」は８．０μｍ〜１２．１μｍである、表面粗さと、
前記液体の密度より低い密度であって、それにより、前記安定化器ディスクが前記運搬および／または保管中に前記液体の上面に浮く、密度と、
を備える、方法。
【請求項２】
複数の安定化器ディスクを、前記容器内で前記液体の中へ置くことをさらに備え、前記複数の安定化器ディスクは、前記運搬および／または保管中に前記液体の前記上面面積の３３％〜７０％を覆うのに十分である、請求項１に記載の方法。
【請求項３】
前記複数の安定化器ディスクを置くことは、前記液体の中へ複数のポリエチレン安定化器ディスクを置くことを含む、請求項２に記載の方法。
【請求項４】
前記複数の安定化器ディスクの各々は、平面図において円形であり、前記円形の各安定化器ディスクは、前記液体内の前記複数の安定化器ディスクの他の安定化器ディスクと重なる傾向が減少する、請求項３に記載の方法。
【請求項５】
ポリエチレンから前記複数の安定化器ディスクを形成することをさらに含む、請求項４に記載の方法。
【請求項６】
前記液体は、界面活性剤を含む水性ワックス分散剤である、請求項４に記載の方法。
【請求項７】
前記幅は、６インチ〜２４インチであり、前記高さは０．５インチから８インチである、請求項４に記載の方法。
【発明の詳細な説明】
【技術分野】
【０００１】
本技術は、流体の運搬および保管の分野に関し、より具体的には、運搬および／または保管中の流体の化学的および／または物理的安定に関する。
【背景技術】
【０００２】
液状化学品および他の流体は、一般的に、例えば化学品供給業者から製品製造業者へ、製造施設間など２つの地点間を、トラック、鉄道、または航空機などの運送手段を使用して運搬される。運送手段または出荷容器の移動による、水性液などの流体の運搬中の撹拌は、防ぐことが困難であり、流体と空気との混合をもたらし得る。混合は、例えば、近くの施設からの保管容器および液体へ伝わる振動により、化学品の保管中にも起こり得る。空気との混合により、たとえ流体に触れる空気と流体との化学反応が生じなくても、流体混合物内でのコンポーネントの物理的な分離、または、流体コンポーネントの不安定化および副生成物の生成が、流体の撹拌の結果として、起こり得る。
【発明の概要】
【発明が解決しようとする課題】
【０００３】
運搬中に流体の移動によりもたらされる悪影響を低減または排除する技術が、望まれるであろう。
【課題を解決するための手段】
【０００４】
以下に、本技術の１つ以上の実施形態のいくつかの態様を基本的に理解するために、簡易化された概要を提示する。この概要は広範な要旨ではなく、本技術の重要または重大な要素を特定する目的も、本開示の範囲を記述する目的もない。むしろ、その主な目的は、単に１つ以上の概念を簡易化された形式で、後に提示される詳細な説明の前置きとして提示することである。
【０００５】
本技術の１つの実施形態において、液体の中で使用する安定化器は、安定化器ディスクを有し、安定化器ディスクは、高さよりも幅が広い、高さと幅、および、表面粗さの平均粗さ中心線「Ｒａ」が０．７６μｍ〜１．１μｍである、平均粗さを有し、少なくとも１つのディスクは、液体の表面に浮いて液体の中での泡の形成を低減するよう構成される。
【０００６】
本技術の別の実施形態は、液体および液体の中の安定化器を含み、安定化器は、少なくとも１つの安定化器ディスクを含む。少なくとも１つの安定化器ディスクは、高さよりも幅が広い、高さと幅、表面粗さの平均粗さ中心線「Ｒａ」が０．７６μｍ〜１．１μｍである、表面粗さ、および、液体の密度より低い、密度を有する。
【０００７】
別の実施形態において、運搬および／または保管中に、容器内で液体上に泡が形成されることを低減する方法は、少なくとも１つの安定化器ディスクを容器内の液体の中へ配置することを含むことができ、少なくとも１つの安定化器ディスクは、高さよりも幅が広い、高さと幅、表面粗さの平均粗さ中心線「Ｒａ」が０．７６μｍ〜１．１μｍである、表面粗さ、液体の密度より低く、安定化器ディスクが運搬および／保管中に液体の表面上部に浮く密度、を有する。
【０００８】
本明細書の一部に組み込まれ、本明細書の一部を構成する添付の図が、本技術の実施形態を説明と共に図示し、本開示の主旨を説明する役割を果たす。
【図面の簡単な説明】
【０００９】
【図１】図１は、本技術による、安定化器ディスクの断面図である。
【図２】図２は、本技術による、安定化器ディスクの平面図である。
【図３】図３は、運搬および／または保管中に、液体上の泡の形成を低減または阻止するのに効果的な、安定化器ディスクの表面粗さのグラフである。
【図４】図４は、運搬および／または保管中に、液体上の泡の形成を低減または阻止するのに効果的な、安定化器ディスクの表面粗さのグラフである。
【図５】図５は、運搬および／または保管中に、液体上の泡の形成を低減または阻止するのに効果的でない、ディスクの表面粗さのグラフである。
【発明を実施するための形態】
【００１０】
図の一部の詳細部分は簡潔化されており、厳格な構造の正確性、細部、および寸法を維持するよりも、本技術の理解を容易にするために描かれていることに留意されたい。
【００１１】
添付の図に例示されている、本技術の例示的な実施形態が、ここで詳細に参照される。可能な限り、同様の参照番号は、図全体を通して、同一または同様の部品を指すために使用される。
【００１２】
２つの位置間の流体の運搬および／または単一の位置での流体の保管は、運搬および／または保管中に、物理的または化学的変化を流体にもたらし得る。例えば、泡が、流体の運搬中に流体の表面上に生じ得る。理論に縛られるものではないが、泡は、タンカー、トート、または他の運送手段など、船舶または保管容器内での流体の運搬中に、流体の解乳化に起因して生じる可能性がある。解乳化は、流体による空気の摂取、流体の低い振幅振動または他の振動、および／または流体の運搬中に流体へ伝搬する容器の振動、および／または容器内への流体の汲み上げ中の流体の撹拌などにより、起こる可能性がある。泡は、例えば、製造において使用される液状化学品および他の流体、調剤業界、食物生産、化学品供給などにおいて使用される液体など、撹拌および保管中に多くの異なる液体上に生じることが知られている。
【００１３】
原因に関わらず、泡は、運搬または保管中、流体の表面に浮く可能性がある。さらに、泡は、保管容器から別の貯蔵容器内への液体の汲み上げ中に形成される可能性がある。ワックスおよび界面活性剤を含む水溶液の場合、運搬および／または保管中に液体の振動または撹拌により生じる泡は、流体の中へ混合物を再分散せず、この状態において使用不可能である、サブミクロンの解乳化粒子を含む可能性がある、油性物質であり得る。油性の泡は、汲み上げまたは他の除去技術により容器から浄化することが困難であり、追加的な労働、タンカーの稼働停止時間、および除去費用が必要となる。さらに、元の生産物の数重量パーセントであってよい、除去される油性の泡は、破棄または再利用されなければならず、したがって、追加的なコストが、廃棄される材料、処分費用、および／または回収コストを介するプロセスに追加される。
【００１４】
本技術の１つの実施形態において、１つ以上の安定化器ディスクが、流体の保管または運搬中に泡の形成を低減または阻止するために、流体に追加され得る。１つ以上の安定化器ディスクは、流体に対して化学的に不活性な固体であり、手動で、または、ひずみ加工または濾過過程プロセスを介して、流体から除去されてよい。安定化器ディスクは液体の表面に浮き、したがって、液体の密度よりも低い全体密度を有する。様々な液体材料にわたる使用および作用の合間に適切に洗浄される場合、安定化器ディスクは再利用され、本明細書における技術にしたがって使用される際、液体の表面上の泡の形成を阻止する。
【００１５】
テスト中、泡の形成阻止におけるディスクの効果は、ディスクの表面粗さと関連することが分かった。滑らかすぎるか、または、粗すぎる表面は、泡を防ぐのに効果的でなかった。表１を参照して記載されるような粗さ範囲を外れると、泡の生成は増大する。
【００１６】
本技術の実施形態は、運搬および／または保管中に流体の表面上に浮く、１つ以上の自由に浮かぶ安定化器ディスクを含み、泡の形成を阻止または排除する。図１は、本技術の実施形態による、代表的な安定化器ディスク１０を描写する断面図であり、図２は平面図である。図１および図２において、安定化器ディスク１０は、平面図において円形であり、断面図において矩形である。各安定化器ディスクの幅「Ｗ」および高さ「Ｈ」は、例えば、安定化器ディスクが置かれる流体が中に入れられる、容器のサイズに大きく依存してよい。例えば、１つ以上の安定化器ディスクは、図１に記載されるように、各々が約６インチ〜約２４インチの幅「Ｗ」を有してよい。１つ以上の安定化器ディスクは、図１に記載されるように、各々が、例えば０．５０インチ〜８．０インチの高さ「Ｈ」を有してよい。安定化器ディスクは、安定化器ディスクを硬質のまま維持するのに十分であり、および、使用中に、曲げにより液体の表面が動くのを阻止するのに十分な、高さを有するよう設計される。高さ「Ｈ」（図１）は、例えば、製造に使用される所与の材料および安定化器ディスクの直径「Ｗ」に依存する。安定化器ディスクは、製造に使用される材料の硬さを考慮すると、十分に厚くなければならず、それにより、ディスクは、流体内で使用される際、湾曲または屈曲しない。
【００１７】
矩形の断面は、具体的には、水平な上面および底面と９０°の角度で交差する複数の垂直な側面は、液体内で使用中に、隣接する安定化器ディスクの上面の上方または底面の下方に広がる、第１の安定化器ディスクの尤度を低減する。１つの実施形態において、流体内で使用される複数の安定化器ディスクは、最も効果的な泡制御のために、流体の表面全体に均一に分散され、隣接する安定化器ディスク間の間隔を維持する。
【００１８】
さらに、図２の実施形態による安定化器ディスク１０は、幅「Ｗ」と等しい直径「Ｄ」を含み、平面図において円形のディスクを提供する。平面図における円形の安定化器ディスクは、液体の表面上で使用される際、泡生成を低減または排除するのに最も効果的である。理論に縛られる意図はないが、平面図において長円形のディスク（すなわち、直径「Ｄ」と異なる幅「Ｗ」を有するディスク）は、平面図において円形の安定化器ディスクより、泡制御において効果的でない。これは、例えば、高い振動が流体の表面上に生じる場合、長円形の安定化器ディスクは液体内で互いに重なり合う傾向があり、各ディスクは、平面図において円形の安定化器ディスクと比較して、液体表面上での位置を均等化するのに効果的でないからである。対照的に、平面図において円形の安定化器ディスク（図２）は、平面図において円形の他の安定化器ディスクと重なる傾向が、特に安定化器ディスクが使用される流体の表面上に高い振動がある期間、減少する。
【００１９】
各安定化器ディスクは、設計対象である液体と化学的に相互作用が起きない、例えば、ポリエチレンまたは他の通気性のない不活性材料など、様々な通気性のない材料で製造され得る。さらに、安定化器ディスクは、安定化器ディスクが使用される流体の密度よりも低い密度を有さなければならず、それにより、安定化器ディスクは流体内で浮かび上がる。
【００２０】
いくつかの表面粗さまたは表面仕上げパラメータは、安定化器ディスクの表面を規定するために測定され得る。ここで、安定化器ディスクの表面は、粗さ値の範囲内である、いくつかのパラメータの表面粗さを有する。表１において特定される範囲内のパラメータを有する安定化器ディスクは、当業者により、本明細書に開示される情報から製造され得る。安定化器ディスクの表面粗さは、任意の利用可能技術により形成されることができ、例として、酸エッチングによるもの、例えば、安定化器ディスクの外面に対する圧力下で推進される研磨粒子の流れを使用する、機械エッチングによるもの、適切な粗さを有する表面に流動性材料を配置することによる接触テクスチャリング後に、流動性材料の硬化および焼き入れを行い、安定化器ディスクをもたらすもの、などが挙げられる。
【００２１】
表面粗さは、表面形状測定器を使用して測定されてよく、例として、東京精密サーフコム１５００（テキサス州リチャードソンのＡｃｃｒｅｔｅｃｈ  Ａｍｅｒｉｃａ）など、２次元の粗さ測定器が挙げられる。測定は、２μｍの接触ダイヤモンドプローブ型を使用して行われてよい。本明細書において使用される場合、「Ｒａ」は平均粗さ中心線（平均粗さ）であり、「Ｒｑ」は二乗平均平方根（ＲＭＳ）であり、「Ｒｐ」は最大ピーク高さであり、「Ｒｖ」は最大谷深さであり、および「Ｒｔ」は谷高さに対する最大ピークである。これらの測定パラメータは、従来技術において既知であるように、標準的な表面粗さパラメータである。
【００２２】
１つ以上の安定化器ディスクは、表面粗さパラメータが全て一定の範囲内である場合、液体の表面上で使用される際、泡の生成を低減または阻止し、１つ以上の表面粗さパラメータが範囲外のレベルである場合、泡の生成を阻止できないことが分かった。安定化器ディスクは、ディスクの表面粗さが表１に示される範囲内である場合、泡の生成を低減または阻止するのに効果的であった。表１に提供される範囲を外れる表面粗さを有する材料は、泡生成を阻止するのに効果的というほどではなかった。
【表１】
0006486253.tif 000002
【００２３】
図３および図４は、テスト中に泡生成を首尾よく軽減または排除する安定化器ディスクの粗さカーブを描写するグラフである。Ｙ軸上に描写される粗さの測定値は、ミクロン（μｍ）単位での平均値であり、一方でＸ軸は、安定化器ディスクの表面に沿う距離をミリメートル（ｍｍ）単位で描写する。図３は、約２２ｍｍの安定化器ディスク表面の長さ全体の測定値を描写し、一方で図４は、約４ｍｍの安定化器ディスク表面の長さ全体の測定値を描写する。表１および図３〜図４から判定可能なように、サンプルの安定化器ディスクの表面は多くの窪みを含んだ。泡生成の阻止における安定化器ディスクの効果は、これらの窪みの数および大きさと相互関係があることが分かった。表１内の範囲の値の表面粗さを有する安定化器ディスクは、効果的なサンプルより低い（すなわち、より滑らかな安定化器ディスク）または高い（すなわち、より粗い安定化器ディスク）表面粗さを有する安定化器ディスクよりも、泡生成を低減または阻止するのに、より効果的であった。
【００２４】
泡は、１グラム当たり約２．０ミリメートル（ｍｍ／ｇ）の振幅など、特定の振幅で、水溶性ワックスなどの液体媒体に生成され得る。２．０ｍｍ／ｇの振幅が実演され、ワックス水分散液のタンカー出荷に見られる泡を再現した、ワックス水分散液における泡を生成した。本技術の１つの実施形態による１つ以上のディスクは、低レベルの振動がある場合に泡を形成する傾向を有する、流体の表面に位置づけられてよい。１つ以上のディスクは、ディスクがなければ表面上に泡の生成をもたらすであろう振幅に、影響を受ける流体において、泡の形成を軽減または阻止するのに効果的である。記載される複数の安定化器ディスクは、泡の形成を阻止するのに効果的である。
【００２５】
ディスクは、ディスクの表面粗さが表２に示される範囲内である場合、泡の生成を軽減または阻止するのに効果的でなかった。
【表２】
0006486253.tif 000003
【００２６】
図５は、テスト中に、容認できるレベルまで泡生成を排除または低減することができなかった、ディスクの粗さカーブを描写するグラフである。図５は、約２２ｍｍのディスクの表面長さ全体の測定値を描写する。表２および図５から判定可能なように、サンプルディスクの表面は比較的に滑らかであった。
【００２７】
したがって、１つの実施形態において、本技術による安定化器ディスク（または、複数の安定化器ディスクの各々）は、外部（露出）表面を有し、ここで外部表面は、０．７６μｍ〜１．１μｍのＲａ、１．２μｍ〜１．７μｍのＲｑ、３．７μｍ〜５．６μｍのＲｐ、４．８μｍ〜６．５μｍのＲｖ、および８．０μｍ〜１２．１μｍのＲｔを有する。これらの表面粗さ測定値を有する安定化器ディスクは、ディスクがなければ流体表面上に泡を生成することが分かった振幅下で、流体の表面上に泡が形成されることを阻止するのに効果的であることが分かった。
【００２８】
容器内の流体の表面は、容器のサイズおよび形状に依存する表面面積を有する。テスト中、泡の形成阻止における１つ以上のディスクの効果は、さらに、１つ以上のディスクにより覆われる流体表面のパーセンテージと関連していることが分かった。テスト中、ディスクは、一般的に、流体の表面に沿って比較的に均一に、均等に自動分配することが分かった。さらに、過小または過大な表面被覆率は、泡を阻止するのに効果的でないことが分かった。さらに、過小または過大な表面被覆率は、流体の表面の過小なパーセンテージまたは過大なパーセンテージを覆うディスクのない、同じ振動事象と比較して、振動事象中に泡の生成が増大した。
【００２９】
１つの実施形態において、図１および図２に描写されるような安定化器ディスク１０は、容器、タンカー、または運送手段内で液体の表面面積の３３％以上を覆い得る。１つの実施形態において、安定化器は、容器、タンカー、または運送手段内で液体の表面面積の７０％以下を覆い得る。１つの実施形態において、安定化器ディスク１０は、容器、タンカー、または運送容器内で液体の表面面積の３３％〜７０％を覆い得る。
【００３０】
例えば、６２インチの直径および４８６インチの長さで構成されるタンカーにおける液体の４４％の表面面積被覆率は、各々が直径２４インチの直径を有する、７つのディスクの使用と一致する。６２インチの直径および４８６インチの長さで構成されるタンカー内で、表面の４４％を覆う別の組み合わせは、各々が１８インチの直径を有する、１２個のディスクの使用と一致する。同様の構成のタンカー内で表面の４４％を覆う、さらに別の組み合わせは、各々が１２インチの直径を有する、２８個のディスクの使用を含む。
【００３１】
３３％以上および７０％以下の範囲内で、ディスクの表面面積被覆率を維持することにより、複数のディスクは、ディスクが重なることなく、液体の表面上を自由に浮遊することができる。ディスクの最大厚さは、使用されるディスクの幅に依存する。ディスクは、液体上に浮く際に剛性を提供し、それにより、ディスクが屈曲も湾曲もしないよう、製造に使用される材料にとって十分な厚さを有するのがよい。例えば、１２インチの直径を有するポリエチレンディスクは、十分な剛性を提供するために、少なくとも５ｍｍの厚さを有するのがよい。
【００３２】
上述したように、１つ以上の安定化器ディスクは、テスト中、様々な液体上の泡の形成を阻止または軽減するのに効果的であった。理論に縛られるものではないが、安定化器ディスクは、表面張力、または、運搬および／または保管中に溶液内で生成される低レベルの振動から生じる正弦波を、破壊し得る。１つ以上の安定化器ディスクがない場合、振動は、液体による空気摂取および液体の表面上に浮かぶ泡を、もたらす可能性がある。トート、タンカー、または他の容器内の液体を運搬中、１つ以上の安定化器ディスクは、空気と液体との接点における表面張力を破壊し、運搬中の液体の表面上の低レベル振動（正弦波）を相殺し、および、泡の形成を低減または阻止し得る。安定化器ディスクは液体の表面上に残り得、容器内または容器外への液体の汲み上げ中に泡を形成させる可能性がある、液体により摂取された空気を消散する。さらに、開示される範囲内の表面粗さは、流体に対する所望の摩擦係数を有するディスクを提供してよく、それにより、流体内でのディスクの移動は、流体内で泡生成を軽減または阻止するのに十分である。
【００３３】
本技術の広範囲を明記する数値の範囲およびパラメータは、近似値であるが、特定の例において明記される数値は、可能な限り正確に報告される。しかしながら、任意の数値は、本質的に、各々のテスト測定値に見られる標準偏差から必然的に生じる一定の誤差を包含する。さらに、本明細書に開示される全ての範囲は、そこに組み込まれる任意および全てのサブ領域を網羅することが理解される。例えば、「１０未満」の範囲は、最小値である０と最大値である１０の間（および、それらの数を含む）の、任意および全てのサブ領域を含むことができ、すなわち、例えば１〜５など、０以上の最小値および１０以下の最大値を有する、任意および全てのサブ領域を含み得る。特定の場合において、パラメータを表すための数値は、負の値を取ってよい。この場合、「１０未満」と表される例示的な範囲の値は、例えば、−１、−２、−３、−１０、−２０、−３０など、負の値を想定し得る。負の値は、中心線と比較した表面寸法または粗さを指すことに留意されたい。
【００３４】
本技術が１つ以上の実装に対して図示されてきた一方で、変更および／または修正が、添付の請求項の精神および範囲から逸脱することなく、図示される例になされ得る。例えば、プロセスが一連の行為または事象として記載される一方で、本技術は、そのような行為または事象の順番により制限されないことが理解されるであろう。一部の行為は、異なる順番で起こってよく、および／または、本明細書に記載されるものと違う他の行為または事象と同時に起こってよい。さらに、全てのプロセス段階が、本技術の１つ以上の態様または実施形態による技法を実装するために必要とは限らない可能性がある。構造コンポーネントおよび／または処理段階が追加されてよく、または、既存の構造コンポーネントおよび／または処理段階が、削除または修正されてよいことが理解されるであろう。さらに、本明細書に記載される１つ以上の行為は、１つ以上の独立した行為および／または段階において実行されてよい。さらに、「含む（ｉｎｃｌｕｄｉｎｇ）」「含む（ｉｎｃｌｕｄｅｓ）」「有する（ｈａｖｉｎｇ）」「有する（ｈａｓ）」「伴う（ｗｉｔｈ）」という用語、または、それらの変形が、詳細な説明および請求項のいずれかで使用される範囲において、そのような用語は、「備える（ｃｏｍｐｒｉｓｉｎｇ）」という用語と類似の用法において包括的であると意図される。「少なくとも１つ（ａｔ  ｌｅａｓｔ  ｏｎｅ  ｏｆ）」という用語は、一覧表示された項目のうちの１つ以上が選択され得ることを意味するために使用される。さらに、本明細書における説明および請求項において、２つの材料に対して使用される「上に（ｏｎ）」という用語は、他方の「上に」一方が、材料の間で少なくとも一部接触することを意味し、一方で「上方に（ｏｖｅｒ）」は、材料が近接しているが、１つ以上の追加的な介在材料がある可能性があり、それにより、接触する可能性はあるが、その必要はないことを意味する。「上に（ｏｎ）」と「上方に（ｏｖｅｒ）」はどちらも、本明細書に使用される場合、任意の方向性を暗示しない。「コンフォーマル（ｃｏｎｆｏｒｍａｌ）」という用語は、下層材料の角がコンフォーマル材料により保護される、被覆材料を表す。「約（ａｂｏｕｔ）」という用語は、一覧表示される値が、変更により図示される実施形態へのプロセスまたは構造の不適合が生じない限り、ある程度修正されてよいことを表す。最後に、「例示的な（ｅｘｅｍｐｌａｒｙ）」は、記載が、理想的であることを暗示するよりむしろ、例として使用されていることを表す。本技術の他の実施形態は、本明細書における開示の仕様および慣例を考慮して、当業者に明らかになるであろう。仕様および例は、以下の請求項により示される本技術の忠実な範囲および精神を伴って、例としてのみ考慮されることが意図される。この出願において使用される相対位置の用語は、加工物の方位に関わらず、加工物の従来の平面または加工表面と平行な平面に基づいて規定される。この出願において使用される「水平の（ｈｏｒｉｚｏｎｔａｌ）」または「横方向の（ｌａｔｅｒａｌ）」という用語は、加工物の方位に関わらず、加工物の従来の平面または加工表面と平行な平面として規定される。「垂直な（ｖｅｒｔｉｃａｌ）」という用語は、水平に対して鉛直な方向を指す。「上に（ｏｎ）」「（横壁など）側面の（ｓｉｄｅ）」「高い（ｈｉｇｈｅｒ）」「低い（ｌｏｗｅｒ）」「上方に（ｏｖｅｒ）」「上位の（ｔｏｐ）」および「下位の（ｕｎｄｅｒ）」などの用語は、加工物の方位に関わらず、加工物の上面である、従来の平面または加工表面に対して規定される。
【図１】
0006486253.tif 000004
【図２】
0006486253.tif 000005
【図３】
0006486253.tif 000006
【図４】
0006486253.tif 000007
【図５】
0006486253.tif 000008